(57)【要約】【課題】洗濯兼脱水槽に循環水路を設けた洗濯機において、洗剤を溶かすために洗い行程の前に行う洗剤溶解行程を省略するとともに、濃度の高い洗濯液を洗濯物全体に注いで、洗浄性能を向上する。【解決手段】中央底部にパルセータ２を回転自在に配設した洗濯兼脱水槽１の内面に、洗濯兼脱水槽１と循環水路カバー１３で循環水路１４を形成し、循環水路カバー１３の途中に洗剤投入用カバー１５を開閉自在に設け、パルセータ２の下側羽根２０の外周に形成したポンプ室２１から循環水路１４を上昇した洗濯液を吐出口２２より洗濯兼脱水槽１の内方に向けて吐出させる。吐出口２２は、下端部を洗剤投入用カバー１５の上端部を用いて構成する。【選択図】　図１
2004121588.tif 000002
【特許請求の範囲】
【請求項１】
中央底部にパルセータを回転自在に配設した洗濯兼脱水槽と、前記洗濯兼脱水槽の内面に洗濯兼脱水槽と循環水路カバーで形成した循環水路と、前記パルセータの下側羽根の外周に形成したポンプ室と、前記循環水路カバーの途中に開閉自在に設けて洗剤投入用カバーと、前記ポンプ室から前記循環水路を上昇した洗濯液を前記洗濯兼脱水槽の内方に向けて吐出させる吐出口とを備え、前記吐出口は、下端部を前記洗剤投入用カバーの上端部を用いて構成した洗濯機。
【請求項２】
洗剤投入用カバーに、洗濯兼脱水槽の内方側に上方を開放した取っ手部を設けた請求項１記載の洗濯機。
【請求項３】
取っ手部は袋状とし、その底部に水抜き穴を設け、前記水抜き穴は洗濯兼脱水槽の内方側に連通した請求項２記載の洗濯機。
【請求項４】
取っ手部の上端部は、洗剤投入用カバーの上端部より低い構成とした請求項２または３記載の洗濯機。
【発明の詳細な説明】
【０００１】
【発明の属する技術分野】
本発明は、洗濯兼脱水槽に循環水路を設けた洗濯機に関するものである。
【０００２】
【従来の技術】
従来、この種の洗濯機は図５に示すような構成が一般的であった。以下、その構成について説明する。
【０００３】
図５に示すように、洗濯兼脱水槽２５は、底面にパルセータ２６を回転自在に配設し、水受け槽２７は、洗濯兼脱水槽２５の外側に設けており、モータ２８は、Ｖベルト２９および減速機構兼クラッチ３０を介して、洗濯兼脱水槽２５またはパルセータ２６を駆動する。排水弁３１は洗濯兼脱水槽２５内の洗濯水を排水し、給水弁３２は洗濯兼脱水槽２５内に給水するものである。また、水受け槽２７は筐体３３にサスペンション３４によって防振支持されている。環状の流体バランサー３５は洗濯兼脱水槽２５の上部に設け、脱水時の振動を低減するものである。
【０００４】
制御装置３６は、モータ２８、排水弁３１、給水弁３２などを制御して、洗濯、すすぎ、脱水の一連の行程を逐次制御するものである。
【０００５】
洗濯兼脱水槽２５の内面に、循環リントカバー３７と洗濯兼脱水槽２５とで循環リント水路３８を形成しており、循環リント水路３８の上端にはリントフィルター３９を着脱自在に設けている。リントフィルター３９の下部に、循環リントカバー３７に洗剤投入用カバー４０を開閉自在に設けており、洗剤投入用カバー４０を開いて、洗剤を循環リント水路３８を通して、パルセータ２６の下側羽根４１の外周に形成したポンプ室４２に投入できるようにしている（例えば、特許文献１）。
【０００６】
上記構成において動作を説明すると、洗濯兼脱水槽２５に洗濯物を投入した後、洗剤投入用カバー４０を開き、洗剤を投入すると、洗剤は循環リント水路３８を通りポンプ室４２に落ちる。その後、洗濯を開始すると、制御装置３６により給水弁３２を制御して洗濯兼脱水槽２５内に所定の水を給水し、その後、制御装置３６により制御されたモータ２８の回転に応じて、パルセータ２６および下側羽根４１が回転し、洗濯兼脱水槽２５の中の洗濯物と洗濯液が撹拌され、洗濯物が洗浄される。
【０００７】
【特許文献１】
特開昭６３−１１７７９８号公報
【０００８】
【発明が解決しようとする課題】
このような従来の構成では、ポンプ室４２に投入された洗剤は、下側羽根４１の回転の機械力により、外側に押し出され、ポンプ室４２から循環リント水路３８を上昇するが、洗剤が完全に溶解されないうちにリントフィルター３９にまで洗濯液が達してしまうと、リントフィルター３９のフィルターメッシュに洗剤が残ったり、洗剤により目詰まりを起こしたりするため、洗剤を溶かすために洗い行程の前にリントフィルター３９にまで洗濯液を上げないようにパルセータ２６を回転させる洗剤溶解行程を行なわなければならないという問題を有していた。
【０００９】
本発明は上記従来の課題を解決するもので、洗剤を溶かすために洗い行程の前に行う洗剤溶解行程を省略するとともに、濃度の高い洗濯液を洗濯物全体に注いで、洗浄性能を向上することを目的としている。
【００１０】
【課題を解決するための手段】
本発明は上記目的を達成するために、中央底部にパルセータを回転自在に配設した洗濯兼脱水槽の内面に、洗濯兼脱水槽と循環水路カバーで循環水路を形成し、循環水路カバーの途中に洗剤投入用カバーを開閉自在に設け、パルセータの下側羽根の外周に形成したポンプ室から循環水路を上昇した洗濯液を吐出口より洗濯兼脱水槽の内方に向けて吐出させるよう構成し、吐出口は、下端部を洗剤投入用カバーの上端部を用いて構成したものである。
【００１１】
これにより、洗剤を溶かすために洗い行程の前に行う洗剤溶解行程を省略できるとともに、濃度の高い洗濯液を洗濯物全体に注いで、洗浄性能を向上することができる。
【００１２】
【発明の実施の形態】
本発明の請求項１に記載の発明は、中央底部にパルセータを回転自在に配設した洗濯兼脱水槽と、前記洗濯兼脱水槽の内面に洗濯兼脱水槽と循環水路カバーで形成した循環水路と、前記パルセータの下側羽根の外周に形成したポンプ室と、前記循環水路カバーの途中に開閉自在に設けて洗剤投入用カバーと、前記ポンプ室から前記循環水路を上昇した洗濯液を前記洗濯兼脱水槽の内方に向けて吐出させる吐出口とを備え、前記吐出口は、下端部を前記洗剤投入用カバーの上端部を用いて構成したものであり、完全に溶解されない洗剤がフィルターメッシュに残り、洗剤により目詰まりを起こすということがないため、洗剤を溶かすために洗い行程の前に行う洗剤溶解行程を省略できるとともに、洗濯液を吐出口より洗濯物全体に注ぐことによって、洗浄性能を向上することができる。
【００１３】
請求項２に記載の発明は、上記請求項１に記載の発明において、洗剤投入用カバーに、洗濯兼脱水槽の内方側に上方を開放した取っ手部を設けたものであり、取っ手部は上方を開放しているため、指を取っ手部に掛けて容易に開閉することができ、洗剤を容易に投入することができる。
【００１４】
請求項３に記載の発明は、上記請求項２に記載の発明において、取っ手部は袋状とし、その底部に水抜き穴を設け、前記水抜き穴は洗濯兼脱水槽の内方側に連通したものであり、水抜き穴は循環水路に連通していないため、循環水路を通り上昇してきた洗濯液は水抜き穴から漏れることがなく、吐出される洗濯液を多く、幅広く洗濯物全体に注ぐことができ、洗浄性能を向上することができ、また、洗剤投入用カバーを開けて洗剤を投入する際、水抜き穴から洗剤が洗濯兼脱水槽にこぼれ落ちることもなくすことができる。
【００１５】
請求項４に記載の発明は、上記請求項２または３に記載の発明において、取っ手部の上端部は、洗剤投入用カバーの上端部より低い構成としたものであり、吐出される洗濯液は取っ手部に干渉されることがないため、洗濯物全体に注ぐことができ、洗浄性能を向上することができる。
【００１６】
【実施例】
以下、本発明の一実施例について、図面を参照しながら説明する。
【００１７】
図１に示すように、洗濯兼脱水槽１は、底面にパルセータ２を回転自在に配設し、水受け槽３は、洗濯兼脱水槽１の外側に設けており、モータ４は、Ｖベルト５および減速機構兼クラッチ６を介して、洗濯兼脱水槽１またはパルセータ２を駆動する。排水弁７は洗濯兼脱水槽１内の洗濯水を排水し、給水弁８は洗濯兼脱水槽１内に給水するものである。また、水受け槽３は筐体９にサスペンション１０によって防振支持されている。環状の流体バランサー１１は洗濯兼脱水槽１の上部に設け、脱水時の振動を低減するものである。
【００１８】
制御装置１２は、モータ４、排水弁７、給水弁８などを制御して、洗濯、すすぎ、脱水の一連の行程を逐次制御するものである。
【００１９】
洗濯兼脱水槽１の内面に、循環水路カバー１３と洗濯兼脱水槽１とで循環水路１４を形成している。循環水路カバー１３の途中に洗剤投入用カバー１５を開閉自在に設けている。
【００２０】
洗剤投入用カバー１５の側壁下部に、図２に示すように、循環水路カバー１３の軸穴１６と嵌合する軸１７を設け、洗剤投入用カバー１５の側壁上部に、循環水路カバー１３の溝１８と嵌合する爪部１９を設けており、洗剤投入用カバー１５は軸１７を中心に回動し、図３に示すように、爪部１９と溝１８が嵌合して閉じているときは、洗剤投入用カバー１５は循環水路カバー１３とともに循環水路１４を形成し、図４に示すように、嵌合が外れて開いたときは洗剤を投入できる状態となる。
【００２１】
パルセータ２の回転により、パルセータ２の下側羽根２０の外周に形成したポンプ室２１から循環水路１３を通り、上昇してくる洗濯液を洗濯兼脱水槽１内に吐出する吐出口２２の下端部は、洗剤投入用カバー１５の上端部を用いて構成している。
【００２２】
また、洗剤投入用カバー１５には開閉用の取っ手部２３を設けており、この取っ手部２３は洗濯兼脱水槽１の内方側に上方を開放した袋状とし、その底部に洗濯兼脱水槽１の内方側に連通した水抜き穴２４を設け、取っ手部２３の上端部は、洗剤投入用カバー１５の上端部より低い構成としている。他の構成は従来例と同じである。
【００２３】
上記構成において動作を説明すると、洗濯兼脱水槽１に洗濯物を投入した後、洗剤投入用カバー１５を開き、洗剤を洗剤投入用カバー１５上に置いた後、洗剤投入用カバー１５を閉めると、洗剤は循環水路１４を通りポンプ室２１に落ちる。その後、洗濯を開始すると制御装置１２により給水弁８を制御して洗濯兼脱水槽１内に所定の水を給水し、その後、制御装置１２により制御されたモータ４の回転に応じて、パルセータ２および下側羽根２０が回転する。
【００２４】
このとき、洗濯兼脱水槽１の中の洗濯物が撹拌され洗浄されるとともに、ポンプ室２１の洗剤は、下側羽根２０の回転の機械力により、溶かされながら外側に押し出され、ポンプ室２１から循環水路１４を通り、吐出口２２より洗濯兼脱水槽１内にモータ４の回転に応じて間欠的に注がれ、洗濯液を洗濯物全体に注ぐことによって、洗濯物が洗浄される。
【００２５】
このように、吐出口２２の下端部は、洗剤投入用カバー１５の上端部を用いて構成したことにより、完全に溶解されない洗剤がフィルターメッシュに残り、洗剤により目詰まりを起こすといったことがないため、洗剤を溶かすために洗い行程の前に行う洗剤溶解行程を省略できるとともに、洗濯液を吐出口２２より洗濯物全体に注ぐことによって、洗浄性能を向上することができる。
【００２６】
また、洗剤を投入するために洗剤投入用カバー１５を開ける際、取っ手部２３は洗濯兼脱水槽１の内方側に上方に開放しているため、指を取っ手部２３に掛けて容易に開閉することができる。
【００２７】
また、取っ手部２３は袋状とし、その底部に設けた水抜き穴２４は洗濯兼脱水槽１の内方側に連通し、循環水路１４に連通していないため、循環水路１４を通り上昇してきた洗濯液は水抜き穴２４から漏れることがなく、吐出される洗濯液を多く、幅広く洗濯物全体に注ぐことができ、洗浄性能を向上することができるとともに、洗剤投入用カバー１５を開けて洗剤を洗剤投入用カバー１５上に置いた際、水抜き穴２４から洗剤が洗濯兼脱水槽１にこぼれ落ちることもなくすことができる。
【００２８】
また、取っ手部２３の上端部は、洗剤投入用カバー１５の上端部より低いため、吐出される洗濯液は取っ手部２３に干渉されることなく、洗濯物全体に注ぐことができ、洗浄性能を向上することができる。
【００２９】
【発明の効果】
以上のように、本発明の請求項１に記載の発明によれば、パルセータの下側羽根の外周に形成したポンプ室から循環水路を上昇した洗濯液を吐出口より洗濯兼脱水槽の内方に向けて吐出させ、吐出口は下端部を洗剤投入用カバーの上端部を用いて構成したことにより、完全に溶解されない洗剤がフィルターメッシュに残り、洗剤により目詰まりを起こすといったことがないため、洗剤を溶かすために洗い行程の前に行う洗剤溶解行程を省略できるとともに、濃度の高い洗濯液を洗濯物全体に注いで、洗浄性能を向上することができる。
【図面の簡単な説明】
【図１】本発明の一実施例の洗濯機の縦断面図
【図２】同洗濯機の要部分解斜視図
【図３】同洗濯機の洗剤投入用カバーを閉じた状態の要部斜視図
【図４】同洗濯機の洗剤投入用カバーを開いた状態の要部斜視図
【図５】従来の洗濯機の縦断面図
【符号の説明】
１　洗濯兼脱水槽
２　パルセータ
１３　循環水路カバー
１４　循環水路
１５　洗剤投入用カバー
２０　下側羽根
２１　ポンプ室
２２　吐出口
【図１】
2004121588.tif 000003
【図２】
2004121588.tif 000004
【図３】
2004121588.tif 000005
【図４】
2004121588.tif 000006
【図５】
2004121588.tif 000007